(57)【要約】【課題】  昇降椅子ユニットが移動可能なレール部を浴槽に設置及び入浴台内への収納が安全、且つ、簡便であるとともに、設置する浴槽に合わせてレール部を設置調節可能なユニット式入浴台を提供すること。【解決手段】  脚部に支持されるメインフレームと、このメインフレームに支持されるベース部と、このベース部に回転自在に支持されるレール部及びレール脚部と、バスボードによって構成されるユニット式入浴台であって、レール部を浴槽上に回転させて取り出した使用可能状態にすると特浴が可能となり、レールを収納するとバスボードを使用した入浴を可能とするが、この収納状態と使用可能状態を切り替える際にはレール部とレール脚部が手順通りにしか動かせないようにした。【選択図】図１５
2020130787.tif 000002
【特許請求の範囲】
【請求項１】
浴槽の短辺側に設置され、上下に高さ調節可能な脚部によって支持されるメインフレームと、このメインフレーム内に支持されるベース部と、このベース部に回転自在に支持されるレール部及びレール脚部と、該メインフレームに回転自在に支持されるバスボードによって構成されるユニット式入浴台であって、該レール部及び該レール脚部が該メインフレーム内に収納された時は、該バスボードを閉じて浴槽の短辺側上面と略同一面となり、該バスボード上に利用者が着座しつつ浴槽内に移動可能にした収納状態とし、該レール脚部が浴槽の長辺側にそれぞれ支持され、且つ、該レール部が浴槽の短辺側上で該レール脚部に支持されるように構成した時は、移動自在な車体フレームに支持されるキャリーレール部と、このキャリーレール部上に支持され、且つ、キャリーレール部及び該レール部に沿って移動自在な駆動部と、この駆動部に昇降可能に枢着される座部を具備した座面昇降式キャリーの該キャリーレール部の一端と連結することで利用者が該座部に着座したまま浴槽内に移動できるようにした使用可能状態とし、収納状態から使用可能状態に姿勢変更する際には、該レール脚部を該レール部より先に浴槽の長辺側に設置しなければ該レール部を該メインフレーム内から取り出せないようにし、且つ、使用可能状態から収納状態に姿勢変更する際には、該レール部を該レール脚部より先に該メインフレーム内に収納しなければ該レール脚部が該メインフレーム内に収納できないように構成したことを特徴とするユニット式入浴台。
【請求項２】
前記レール脚部を構成する浴槽の長辺側に載置される第１レール脚及び第２レール脚を前記ベース部にそれぞれ別軸で軸着して、それぞれ単独で収納状態と使用可能状態に姿勢変更できるようにしたことを特徴とする請求項１に記載のユニット式入浴台。
【請求項３】
前記第１レール脚及び前記第２レール脚の上部に係止部材を具備し、前記レール部を構成するレール部本体の下面にストッパー部材を具備することで、前記レール部と前記レール脚部を使用可能状態にした時に、該係止部材と該ストッパー部材を係合させることで該レール部と該レール脚部を一体になるように構成したことを特徴とする請求項１もしくは請求項２に記載のユニット式入浴台。
【請求項４】
前記第１レール脚には第１ロック部材と第２ロック部材を、前記第２レール脚には第３ロック部材をそれぞれ具備し、該第１ロック部材で浴槽の長辺側の外縁を、該第２ロック部材で内縁をそれぞれ係止し、該第３ロック部材で浴槽の短辺側の内縁を係止するように構成しつつ、該第２ロック部材及び該第３ロック部材には浴槽の縁の幅に合わせて係止面を調節可能な調節用の長孔を具備したことを特徴とする請求項３に記載のユニット式入浴台。
【請求項５】
前記第１ロック部材及び前記第２ロック部材、前記第３ロック部材の前記第１レール脚及び前記第２レール脚への取り付け位置及び調節方向が浴槽の角部を避けたことを特徴とする請求項４に記載のユニット式入浴台。
【請求項６】
前記メインフレームの短辺側の側部に突出量を調節自在に止着したバンパー横を具備し、ユニット式入浴台を浴室に設置した時に、ユニット式入浴台の短辺側と浴室の壁側の間に隙間が開かないようにしたことを特徴とする請求項１〜５のいずれかに記載のユニット式入浴台。
【発明の詳細な説明】
【技術分野】
【０００１】
本発明は、利用者の身体状況に合わせて仕様変更することにより浴槽への跨ぎ動作の負担を軽減するユニット式入浴台に関するものである。
【背景技術】
【０００２】
現在、浴槽上に載置するタイプや、浴室の洗い場に設置して浴槽縁に掛け渡すタイプなど種々のバスボードや入浴台が提案されている。使用環境及び利用者の身体状況を考慮して最適な物が使用されるが、いずれも浴室の洗い場から浴槽への跨ぎ動作の負担軽減や転倒防止の目的で使用される。
【０００３】
また、本出願人は特許文献１に記載されている移送装置を提案している。
この移送装置は、浴室内を移動自在な昇降椅子ユニットと、一部を浴槽上に配置した残部が浴槽外縁より外側まで延び、昇降椅子ユニットを支持するレール部を備えている。
そして、このレール部を構成する第１レール部と第２レール部上を昇降椅子ユニットが移動自在にすることで、洗い場から浴槽まで利用者が昇降椅子ユニットに座ったまま移動、入浴することができる。
また、詳細は省略するが従来の入浴機器に比べて浴室の工事が不要な点、一般家庭や小規模な浴室の介護施設などでも設置可能となるようにコンパクトになっている点、一連の入浴介助動作における介助者の負担が少ない点など様々なメリットがある。
この移送装置に使用する第２レール部を収納するためにバスボードユニットを浴槽の傍に設置して、利用者の身体状況に応じて入浴台に使用したり、移送装置を使用した特浴（機械浴）を行えたり、用途に合わせて仕様変更できるようにしている。
【先行技術文献】
【特許文献】
【０００４】
【特許文献１】特許第６２３６２６４号
【発明の概要】
【０００５】
しかしながら、特許文献１に記載の移送装置のバスボードユニットは以下の問題が挙げられる。
（問題１）第２レール部を設置可能な浴槽に制限がある。
詳述すると、浴槽の框部の長辺側に載置される第１レール脚部と第２レール脚部を介して第２レール部を浴槽の框部の短辺側の上部に配置する仕様となっており、第１レール脚部と第２レール脚部には浴槽の内壁面に係止される係止部を具備することによって外力が加わった際に第２レール部がずれないようにすることで、浴槽への設置が確実、且つ、安全に使用することができる。
しかしながら、係止部には調節機構などが具備されていないため、第１レール脚部と第２レール脚部の係止部のピッチに合致する浴槽にしか使用することができない。
つまり、浴槽に合わせて第２レール部及びバスボードユニットを用意する必要があり、バリエーションが増えることで施設側の導入コストや販売側の管理コストなどが増える恐れがある。
（問題２）第２レール部を使用可能状態にする際の作業性及び設置時の安定性が悪い。
詳述すると、特許文献１の図６〜図８や工程（７）に示されるように、収納状態にある第２レール部を浴槽に設置する際にはハンドルを持って第１レール脚部と第２レール脚部を開いた状態にしつつ浴槽の框部上に設置し、第１レール脚部と第２レール脚部によって第２レール部ユニットを下方から支持している。
しかしながら、特許文献１に示されるように第２レール部と第１レール脚部と第２レール脚部は一体となって構成されているため、操作する際に介助者にとって重労働である。加えて、一体となった第２レール部と第１レール脚部と第２レール脚部を第１レール脚部と第２レール脚部を開閉させながら浴槽に設置する動作は、作業性が悪いものとなっている。
また、安全面についても第１レール脚部と第２レール脚部がリンクによってクロスしながら開閉するので、操作を誤ると手などを挟み込む恐れがある。
また、浴槽内面縁にストッパー部材をあてることで安定した設置が可能ではあるが、バスボードユニット自体は浴室の上に載置されているだけなので、第１レール部を第２レール部に連結した際に受ける衝撃などによって設置位置がずれる恐れがある。
【発明が解決しようとする課題】
【０００６】
そこで本願発明が解決しようとする課題は、昇降椅子ユニットが移動可能なレール部を浴槽に設置及び入浴台内への収納が安全、且つ、簡便であるとともに、設置する浴槽に合わせてレール部を設置調節可能なユニット式入浴台を提供することである。
【課題を解決するための手段】
【０００７】
本発明のユニット式入浴台は、浴槽の短辺側に設置され、上下に高さ調節可能な脚部によって支持されるメインフレームと、このメインフレーム内に支持されるベース部と、このベース部に回転自在に支持されるレール部及びレール脚部と、該メインフレームに回転自在に支持されるバスボードによって構成されるユニット式入浴台であって、該レール部及び該レール脚部が該メインフレーム内に収納された時は、該バスボードを閉じて浴槽の短辺側上面と略同一面となり、該バスボード上に利用者が着座しつつ浴槽内に移動可能にした収納状態とし、該レール脚部が浴槽の長辺側にそれぞれ支持され、且つ、該レール部が浴槽の短辺側上で該レール脚部に支持されるように構成した時は、移動自在な車体フレームに支持されるキャリーレール部と、このキャリーレール部上に支持され、且つ、キャリーレール部及び該レール部に沿って移動自在な駆動部と、この駆動部に昇降可能に枢着される座部を具備した座面昇降式キャリーの該キャリーレール部の一端と連結することで利用者が該座部に着座したまま浴槽内に移動できるようにした使用可能状態とし、収納状態から使用可能状態に姿勢変更する際には、該レール脚部を該レール部より先に浴槽の長辺側に設置しなければ該レール部を該メインフレーム内から取り出せないようにし、且つ、使用可能状態から収納状態に姿勢変更する際には、該レール部を該レール脚部より先に該メインフレーム内に収納しなければ該レール脚部が該メインフレーム内に収納できないように構成したことを特徴とした。
そして、前記レール脚部を構成する浴槽の長辺側に載置される第１レール脚及び第２レール脚を前記ベース部にそれぞれ別軸で軸着して、それぞれ単独で収納状態と使用可能状態に姿勢変更できるようにしたことを特徴とした。
また、前記第１レール脚及び前記第２レール脚の上部に係止部材を具備し、前記レール部を構成するレール部本体の下面にストッパー部材を具備することで、前記レール部と前記レール脚部を使用可能状態にした時に、該係止部材と該ストッパー部材を係合させることで該レール部と該レール脚部を一体になるように構成したことを特徴とした。
また、前記第１レール脚には第１ロック部材と第２ロック部材を、前記第２レール脚には第３ロック部材をそれぞれ具備し、該第１ロック部材で浴槽の長辺側の外縁を、該第２ロック部材で内縁をそれぞれ係止し、該第３ロック部材で浴槽の短辺側の内縁を係止するように構成しつつ、該第２ロック部材及び該第３ロック部材には浴槽の縁の幅に合わせて係止面を調節可能な調節用の長孔を具備したことを特徴とした。
さらに、前記第１ロック部材及び前記第２ロック部材、前記第３ロック部材の前記第１レール脚及び前記第２レール脚への取り付け位置及び調節方向が浴槽の角部を避けたことを特徴とした。
そして、前記メインフレームの短辺側の側部に突出量を調節自在に止着したバンパー横を具備し、ユニット式入浴台を浴室に設置した時に、ユニット式入浴台の短辺側と浴室の壁側の間に隙間が開かないようにしたことを特徴とした。
【発明の効果】
【０００８】
本発明のユニット式入浴台は、ベース部に回転自在に軸着されたレール部が浴槽の短辺側に配置される使用可能状態と、メインフレーム内に収納される収納状態に姿勢変更できる。そして、使用可能状態にしたレール部を利用者を乗せて浴室を移動してきた座面昇降式キャリーのキャリーレール部と連結する時に受ける外力によりレール部がずれないようにレール脚部を浴槽の長辺側に設置する。このレール脚部もレール部と同様にベース部に回転自在に軸着され、使用可能状態では浴槽の長辺側に配置され、収納状態ではメインフレーム内に収納される。このように構成したレール部とレール脚部はそれぞれベース部に単独で回転自在に軸着されており、それぞれレール部とレール脚部を単独で使用可能状態と収納状態に姿勢変更できるため、一つ一つの部品を介助者がしっかりと持って安全に設置することができる。また、各構成部材が連動しないため不意な挟み込みが無く安全に設置できる。そして、使用可能状態と収納状態に姿勢変更する際には、決められた手順通りに操作しないと設置、収納ができないようにしており、誤った設置を行い中途半端な状態で使用することによる不意な事故や怪我が無いようにしている。
また、レール脚部が浴槽の長辺側の一方に配置される第１レール脚と、浴槽の他方の長辺側に配置される第２レール脚で構成し、第１レール脚と第２レール脚をそれぞれ単独で操作できるようにベース部に別軸で軸着することで、より姿勢変更時の作業負担を軽減することができる。
そして、第１レール脚と第２レール脚の上面に係止部を、レール部の下面にストッパー部材をそれぞれ設け、レール部とレール脚部をそれぞれ単独で浴槽上に設置した後、係止部とストッパー部材を係合することでレール部とレール脚部が一体となるようにした。このように構成することで、姿勢変更時の介助者の作業負担を軽減しつつ、浴槽上に設置した時にレール部とレール脚部が一体となり座面昇降式キャリー連結時の外力を受けても設置位置がずれないように安定して設置ができる。
さらに、第１レール脚には第１ロック部材及び第２ロック部材を備えて浴槽の長辺側の縁を外側と内側の両面を挟み込むように係止し、第２レール脚は第３ロック部材を備えて浴槽の短辺側の縁を内面に係止したことで、浴槽の短辺側及び長辺側からの外力を受けても位置ずれを起こさないようにしてレール脚部が浴槽に安定して設置できる。なお、浴槽の短辺側の外側にはバスボードを構成するバスボード前を当接するようにしているため第１ロック部材と同じ効果を発揮するようにしている。また、第２ロック部材及び第３ロック部材には調節用の長孔を具備しており、使用する浴槽の縁の幅に合わせて係止面の位置を調節できるようにしている。このように構成することで、浴槽の形状に合わせてレール脚部の各ロック部材の位置を調節できるため、一つの浴槽に対して一つのユニット式入浴台を設定するのではなく、複数の浴槽に対して一つのユニット式入浴台が使用できるため経済的である。
また、第１ロック部材及び第２ロック部材、第２ロック部材の取り付け位置を浴槽の角部を避けることによって浴槽の平坦な面にしっかりと各ロック部材を当接させることができるため、使用可能状態にした時により安定した浴槽上への設置を可能にしている。
そして、浴槽の縁（短辺側、長辺側ともに）の幅は使用する浴槽の種類によって様々であり一定では無いため、浴室にユニット式入浴台を設置した時に浴室の壁面とユニット式入浴台の短辺側にすき間が発生する可能性がある。このすき間を埋めるためにメインフレームの浴室の壁面に向かう短辺側に突出量を調節できるバンパー横を配置している。このバンパー横によって設置する浴室環境に応じてユニット式入浴台と浴室の壁とのすき間を無くすことができ、使用可能状態にしたレール部に座面昇降式キャリーのキャリーレール部を連結した時に生じる浴槽の短辺側の外力を浴室全体で受けることができ、より安定した設置ができる。
【図面の簡単な説明】
【０００９】
【図１】ユニット式入浴台１の全体斜視図
【図２】ユニット式入浴台１の正面図
【図３】ユニット式入浴台１の平面図
【図４】ユニット式入浴台１の右側面図
【図５】ユニット式入浴台１の左側面図
【図６】ユニット式入浴台１のメインフレーム２のバンパー横２ｅと脚部３の組立説明図
【図７】ユニット式入浴台１のメインフレーム２と脚部３とベース部４とレール部５の組立説明図
【図８】ユニット式入浴台１のレール脚部６の組立説明図
【図９】ユニット式入浴台１のバスボード７とカバー８の組立説明図
【図１０】座面昇降式キャリー９の全体斜視図
【図１１】浴室にユニット式入浴台１を設置した状態を示す説明図
【図１２】浴室に設置したユニット式入浴台１のバスボード後７２を開けた状態を示す説明図
【図１３】浴室に設置したユニット式入浴台１の第１レール脚部６１を浴槽Ｂに設置した状態を示す説明図
【図１４】浴室に設置したユニット式入浴台１の第２レール脚部６２を浴槽Ｂに設置した状態を示す説明図
【図１５】浴室に設置したユニット式入浴台１のレール部５を浴槽Ｂに設置して使用可能状態にした状態を示す説明図
【図１６】浴室に設置したユニット式入浴台１のレール部５に座面昇降式キャリー９を連結した状態を示す説明図
【図１７】昇降椅子ユニット９５を動作して浴槽Ｂ内に移動した入浴状態を示す説明図
【図１８】浴室に設置したユニット式入浴台１のメインフレーム２内にレール部５及びレール脚部６が収納状態にあることを示す説明図
【図１９】浴室に設置したユニット式入浴台１のレール部５及びレール脚部６が浴槽Ｂに設置され使用可能状態にあることを示す説明図
【図２０】レール部５及びレール脚部６が浴槽Ｂに設置され使用可能状態にあることを示す平面図
【図２１】第２レール脚６２がメインフレーム２内に（ａ）収納された状態を示す説明図（ｂ）収納された状態から第２レール脚本体６２ｃを起立した状態を示す説明図
【図２２】レール脚部６の別の実施例の説明図
【発明を実施するための形態】
【実施例】
【００１０】
以下、本発明のユニット式入浴台１について図面を基に説明する。
このユニット式入浴台１は、主としてメインフレーム２と、このメインフレーム２を支持する脚部３と、メインフレーム２内に支持されるベース部４と、このベース部４に回転自在に軸着されるレール部５及びレール脚部６と、メインフレーム２に回転自在に支持されるバスボード７で構成される。
また、本実施例では図１７に示すように浴室に浴槽Ｂの利用者が入浴した時に右手側に位置する長辺側Ｂ１が壁面に当接するように配置し、短辺側Ｂ２と壁面の間の空間にユニット式入浴台１を配置した状態で説明している。
本実施例以外にも、例えば広い浴室に浴槽Ｂが単独で配置され、浴槽の四方が開かれた入浴施設などの場合にも使用することができる。このように、ユニット式入浴台１の短手方向長さに対して浴槽Ｂの短辺側Ｂ２と浴室の壁面との空間が広ければ浴室環境及び浴槽の配置位置は限定する必要は無い。
【００１１】
まず、メインフレーム２を説明する。
図７で示すように、複数の中空フレームをコ字状に組み合わせた高さの異なる枠フレーム２ａ，２ｂを一定間隔離間してツナギフレーム２ｃ，２ｃ及び後述するベース部４を支持するベース支持フレーム２ｄ，２ｄを介して固着している。なお、ツナギフレーム２ｃ，２ｃは丸パイプを用いており、ユニット式入浴台１を浴室に設置する際の持ち手として使用する。このように、該メインフレーム２は中空空間Ｓが構成された箱型に構成されており、後述するレール部５及びレール脚部６をメインフレーム２内に収納可能にしている。
なお、本実施例のメインフレーム２は一例であり、後述するベース部４及びレール部５、レール脚部６が内部に収納可能であれば良い。
また、浴室の壁面のベース支持フレーム２ｄには正面視においてＬ字状に形成したバンパー横２ｅを止着している。このバンパー横２ｅは該バンパー横２ｅに穿設した長孔２１ｅ，２１ｅによってメインフレーム２の側面からの突出量を調節可能にしている。
このバンパー横２ｅを浴室の壁面と当接させることで、後述する昇降椅子ユニット９のキャリーレール部９２をレール部５に連結する際に生じる浴槽Ｂの短辺側への外力を浴室の壁面で受けることができ、使用可能状態にしたレール部５及びレール脚部６のずれを防止することができる。
さらに、枠フレーム２ａの浴槽Ｂ側前方にはバンパー前２ｆ，２ｆを軸着している。このバンパー前２ｆ，２ｆ及び後述するバスボード前７１の端面を浴槽Ｂの短辺側Ｂ２の外縁に当接させてユニット式入浴台１を浴槽Ｂに設置する。なお、本実施例のバンパー前２ｆ，２ｆはローラー形状をしており浴槽Ｂの外縁を転動可能にしている。このように構成することで、浴室に設置したユニット式入浴台１の出し入れをスムーズに行うことができる。
【００１２】
次に、脚部３を説明する。
図６や図７で示すように、この脚部３は前記枠フレーム２ａ，２ｂを構成する中空の矩形フレーム２１ａ，２１ａ，２１ｂ，２１ｂ内を上下方向移動自在に支軸３ａ，３ａ，・・・を挿通し、該支軸３ａ，３ａ，・・・の床側先端にアジャスターボルト３ｂ，３ｂ及び車輪３ｃ，３ｃを止着している。
なお、該アジャスターボルト３ｂ，３ｂは洗い場側に、車輪３ｃ，３ｃは壁側にそれぞれ配置している。
これは、ユニット式入浴台１を浴室に設置及び撤去する際に、前述したツナギフレーム２ｃを介助者などが把持しつつ持ち上げることでキャリーカートのようになり、車輪３ｃ，３ｃを補助車輪として使用することができるため、介助者の負担が少なくユニット式入浴台１を移動させることができる。
そして、図６に示すように、該支軸３ａ，３ａ，・・・の軸心に対して鉛直方向には複数の孔３１ａ，３１ａ，・・・を一定間隔離間して穿設している。
そして、該矩形フレーム２１ａ，２１ａ，２１ｂ，２１ｂに穿設した孔に固着したナット部材２２ａ，２２ａ，２２ｂ，２２ｂに六角穴付止めネジなどの螺子部材２４，２４，・・・を螺着しつつ、該支軸３ａ，３ａ，・・・の複数の孔３１ａ，３１ａ，・・・に挿通して、螺子部材２４，２４，・・・の先端で該支軸３ａ，３ａ，・・・を付勢することで、矩形フレーム２１ａ，２１ａ，２１ｂ，２１ｂに固定している。
このように構成することで、勾配の付いている浴室の床面への適応及び浴槽の高さに合わせてユニット式入浴台１の設置位置を調節することができる。
なお、本実施例では可能な限りコンパクトにユニット式入浴台１を構成するにあたり、六角穴付止めネジを使用したが、限定する必要は無く、例えば、レバー式クランプのようにレバーの引き、戻しによって先端のピンが突出、退出して、孔３１ａ，３１ａ，・・・と係合するようにしても良い。
【００１３】
次に、ベース部４を説明する。
図７で示すように、このベース部４は浴槽の短辺側に延伸するベースフレーム４ａの両端に、前述したメインフレーム２のベース支持フレーム２ｄ，２ｄと連結固定される支持フレーム４ｂ，４ｂを固着し、該支持フレーム４ｂ，４ｂの中間には一定間隔離間した後述するレール脚部５を支持する脚支持フレーム４ｃ，４ｃを固着している。
また、該支持フレーム４ｂ，４ｂの外側には平面視においてＬ字状に形成した脚回転支持フレーム４ｄ，４ｄを固着している。そして、該支持フレーム４ｂ，４ｂ及び該脚支持フレーム４ｃ，４ｃ、該脚回転支持フレーム４ｄ，４ｄに穿設した孔にロッド部材４ｅを挿通して止着している。
そして、洗い場側の支持フレーム４ｂにはＵ字状に形成したストッパー部材４ｆを、壁側の支持フレーム４ｂには丸棒状のストッパー部材４ｇをそれぞれ止着している。
また、支持フレーム４ｂ，４ｂ間にはツナギロッド部材４ｈを固着している。
【００１４】
次に、レール部５を説明する。
図７で示すように、このレール部５は一定間隔離間したステー部材５ａ，５ａの一端にボス部材５ｂ，５ｂを固着して、前記ロッド部材４ｅに挿通している。そして、該ステー部材５ａ，５ａの他端はレール部本体５ｃを固着している。
なお、該レール部本体５ｃはリップ溝形形状をしており、後述する座面昇降式キャリー９の駆動部９３及び昇降椅子ユニット９５が浴槽Ｂの短辺側を移動自在に構成している。
また、該レール部本体５ｃには長孔５１ｃを穿設しており、レール部５を姿勢変更する時の持ち手として使用される。
そして、該レール部本体５ｃの洗い場側の先端には後述する座面昇降式キャリー９のキャリーレール部９２を連結可能な連結部材５ｄを止着している。この連結部材５ｄもレール部本体５ｃと同様にリップ溝形形状をしており、詳細は省略するがキャリーレール部９２と着脱可能である。
また、該レール部本体５ｃの裏側には後述する第１レール脚６１と第２レール脚６２に付設した係止部材６１ｅ，６２ｅを係合可能に凹字状に形成したストッパー部材５ｅ，５ｅを固着している。詳細は後述するが、このストッパー部材５ｅ，５ｅによってレール部５を使用可能状態にする時に、このストッパー部材５ｅ，５ｅに係止部材６１ｅ，６２ｅを係合することでレール部５とレール脚部６を連結することができ、安定して浴槽Ｂ上に設置することができる。
【００１５】
次に、レール脚部６を説明する。
図１４などで示すようにこのレール脚部６は浴室の洗い場側に配設される第１レール脚６１と、浴室の壁側に配設される第２レール脚６２で構成され、前述したレール部５を支持しつつ使用可能状態になったレール部５と後述するキャリーレール部９２を連結時に受ける外力を浴槽Ｂで受けることができるようにしている。
まず、第１レール脚６１について説明する。
図８に示すように洗い場側の支持フレーム４ｂと脚回転支持フレーム４ｄ間に回転自在に支点部材６１ａの一端を軸着している。そして、該支点部材６１ａの他端は回転ストッパー部材６１ｂを介して第１レール脚本体６１ｃを回転自在に軸着している。
そして、該第１レール脚本体６１ｃに穿設した孔に鍔付きのピン部材６１ｄを係止している。このピン部材６１ｄによって、該第１レール脚本体６１ｃを回転させると、該回転ストッパー部材６１ｂに形成した溝部６１１ｂの範囲しか動けないようにしており、浴槽縁より該第１レール脚本体６１ｃが飛び出さないように規制している。（図２１では第２レール脚６２について示しているが第１レール脚６１についても同様である。）
さらに、該第１レール脚本体６１ｃの中間近傍には係止部材６１ｅを止着しており、前述したように使用可能状態にしたレール部５を支持するようにしている。
また、該第１レール脚本体６１ｃの先端近傍には浴槽Ｂの洗い場側の長辺側Ｂ３の縁部を挟み込んで固定可能にＬ字状に形成した第１ロック部材６１ｆと第２ロック部材６１ｇを止着している。
詳述すると、該第１ロック部材６１ｆは浴槽Ｂの長辺側Ｂ３の洗い場側の側面と第１レール脚本体６１ｃの上面にそれぞれ面するようにＬ字状に形成している。そして、該第２ロック部材５１ｇは浴槽Ｂの長辺側Ｂ３の内側面と第１レール脚本体６１ｃの上面にそれぞれ面するようにＬ字状に形成している。このように構成した第１ロック部材６１ｆと第２ロック部材６１ｇをコ字状に組み合わせ、該第１レール脚本体６１ｃに止着している。
なお、該第２ロック部材６１ｇには長孔部６１１ｇ，６１１ｇを穿設しており、図２０に示すように浴槽Ｂの縁の幅に合わせて位置調節可能にしている。
【００１６】
次に、第２レール脚６２について説明する。
図８に占示すように前述した壁側の支持フレーム４ｂと脚回転支持フレーム４ｄ間に回転自在に支点部材６２ａの一端を軸着している。
そして、該支点部材６２ａの他端には、回転ストッパー部材６２ｂを介して略Ｔ字状に２つの部材を固着した第２レール脚本体６２ｃを回転自在に軸着している。
なお、該第２レール脚本体６２ｃの略Ｔ字形状はレール脚部６を使用可能状態にした時に浴槽Ｂの長辺側Ｂ１と短辺側Ｂ２の縁に載置可能な位置であり、長辺部６２１ｃと短辺部６２２ｃで構成している。
そして、該第２レール脚本体６２ｃに穿設した孔に鍔付きのピン部材６２ｄを係止している。このピン部材６２ｄによって、該第２レール脚本体６２ｃを回転させると、該回転ストッパー部材６２ｂに形成した溝部６２１ｂの範囲しか動けないようにしており、浴槽縁より該第２レール脚本体６２ｃが飛び出さないように規制している。
さらに、該第２レール脚本体６２ｃの短辺側６２２ｃには係止部材６２ｅを止着しており、使用可能状態にしたレール部５を支持している。
また、短辺側６２２ｃを使用可能状態にした時に浴槽Ｂの短辺側Ｂ２の内面に当接するように側面視においてＬ字状に形成した第３ロック部材６２ｆを止着している。
なお、該第３ロック部材６２ｆも前述した第１ロック部材６１ｆと第２ロック部材６１ｇと同様に長孔部６２１ｆ，６２１ｆを穿設しており、図２０に示すように浴槽Ｂの縁の幅に合わせて位置調節可能にしている。
【００１７】
このように構成したレール部５及びレール脚部６のそれぞれの関係について説明する。
前述したように、レール部５をメインフレーム２の中から取り出して使用可能状態にするためには、図８などで示すようにロッド部材４ｅを回転中心にして浴槽Ｂ側に向かってレール部５を回転させる必要がある。
この時、図１８で示すようにレール脚部６を構成する第１レール脚６１及び第２レール脚６２がメインフレーム２内に収納されている状態ではレール部５の回転方向に対してレール脚部６が障害物となりレール部５を回転させることができない。これは、レール部５とレール脚部６の軸心をそれぞれ別にしているためである。そこで、レール部５より先にレール脚部６を浴槽Ｂ上に設置する必要がある。
【００１８】
まず、第１レール脚部６１を設置する場合を説明する。
メインフレーム２内に収納状態にある第１レール脚６１は第１レール脚本体６１ｃが脚支持フレーム４ｃによって支持されている状態から、支軸部材６１ａを回転中心として浴室の洗い場側に第１レール脚本体６１ｃを起立させる。（図２１（ａ）参照）
この時、第１レール脚本体６１ｃに止着したピン部材６１ｄが回転ストッパー部材６１ｂの溝部６１１ｂを移動し、第１レール脚本体６１ｃが床面に対して垂直に止まる。（図２１（ｂ）参照）
この状態で支軸部材６１ａを浴槽Ｂ方向に回転させることで浴槽Ｂの洗い場側の長辺側Ｂ３上に第１レール脚６１を設置することができる。（図１３参照）
【００１９】
次に、第２レール脚部６２を設置する場合を説明する。
メインフレーム２内に収納状態にある第２レール脚６２は第２レール脚本体６２ｃが脚支持フレーム４ｃによって支持されている状態から、支持部材６２ａを回転中心として浴室の洗い場の反対側に第２レール脚本体６２ｃを起立させる。）（図２１（ａ）参照）
この時、第２レール脚本体６２ｃに止着したピン部材６２ｄが回転ストッパー部材６２ｂの溝部６２１ｂを移動し、第２レール脚本体６２ｃが床面に対して垂直に止まる。（図２１（ｂ）参照）
この状態で支軸部材６２ａを浴槽Ｂ方向に回転させることで浴槽Ｂの壁側の長辺側Ｂ１上に第２レール脚６２を設置することができる。（図１４参照）
なお、前述した第１レール脚本体６１と第２レール脚本体６２はそれぞれ独立して構成しているため、どちらから設置しても良い。
【００２０】
次に、レール部５を設置する場合を説明する。
前述したように第１レール脚６１と第２レール脚６２が浴槽Ｂ上に設置されたことでレール部５の回転方向への障害物が無くなり、レール部５を浴槽Ｂ側に向かってロッド部材４ｅを回転中心として回転させる。（図１４など参照）
すると、ベース部４のストッパー部材４ｆによるスライド方向への規制が解除される。そこで、洗い場側にレール部５をスライドさせることで浴槽Ｂの長辺側Ｂ３より連結部材５ｄが飛び出した使用可能状態にできる。この時、ボス部材５ｂの端面と支持フレーム４ｂの端面が当接することによってレール部５のストッパーとなる。（図１９参照）
この状態からレール部５を浴槽Ｂ側に降ろしていき、レール部本体５ｃに固着したストッパー部材５ｅ，５ｅと、前述したレール脚部６の係止部材６１ｅ，６２ｅを係合させてレール部５がレール脚部６上に載置されるとともにレール脚部６と一体になる。（図１５及び図２０参照）
【００２１】
ここまで、レール部５及びレール脚部６を使用可能状態にする手順を説明したが、使用可能状態から収納状態にする場合の説明をする。
まず、レール部５を収納する場合を説明する。
レール部５を浴槽Ｂ側からユニット式入浴台１方向にロッド部材４ｅを中心に回転させる。
この時、そのままレール部５を回転させようとすると、ベース部４のストッパー部材４ｆの長辺部が障害物となり回転することができない。
この状態を回避するために、浴室の壁側にレール部５をスライドさせてストッパー部材４ｆと干渉しないように移動させる。
そして、レール部５を浴槽Ｂ側からユニット式入浴台１側に回転させることで、レール部５がメインフレーム２内に収納される。なお、レール部５が収納状態にある時はベース部４のツナギロッド部材４ｈにステー部材５ａ，５ａが支持された状態でメインフレーム２内に収納される。
【００２２】
次に、レール脚部６を収納する場合を説明する。
いずれから操作しても良いが、第１レール脚６１の支点部材６１ａ、第２レール脚６２の支点部材６２ａを浴槽Ｂ側からユニット式入浴台１側に回転させる。この時、支点部材６１ａはストッパー部材４ｆに、支点部材６２ａはストッパー部材４ｇに回転を規制されつつ支持される。なお、本事例では垂直で支点部材６１ａ及び支点部材６２ａが垂直で止まるようにしている。
そして、第１レール脚６１は洗い場側からメインフレーム２側に支点部材６１ａを回転中心として第１レール脚本体６１ｃを回転させて脚支持フレーム４ｃに支持されてメインフレーム２内に収納する。
また、第２レール脚６２は壁側からメインフレーム２側に支点部材６２ａを回転中心として第２レール脚本体６２ｃを回転させて、脚支持フレーム４ｃに支持されててメインフレーム２内に収納する。
【００２３】
ここまでレール部５とレール脚部６の関係について説明したが、メインフレーム２からレール部５及びレール脚部６を取り出してレール部５を使用可能状態にする際に、手順通りにしか各部品を動かすことができない構成のため、使用者が間違えることなく設置することができる。
さらに、レール部５とレール脚部６の第１レール脚６１と第２レール脚６２がそれぞれ独立構成のため、１つ１つ操作することで介助者が無理なく確実に設置することができる利点もある。
【００２４】
なお、レール脚部６を構成する第１ロック部材６１ｆ、第２ロック部材６１ｇ及び第３ロック部材６２ｆはそれぞれ浴槽Ｂのコーナー部を回避するように配置している。（図２０参照）
これは、浴槽の種類が多種多様であることと同じように浴槽内の形状も多種多様であり、コーナー部も形状が均一でないことから浴槽の長辺側Ｂ１，Ｂ３と各ロック部材６１ｆ，６１ｇ，６２ｆを当接することでロックするようにするためである。このような配置位置にすることで、対応可能な浴槽の種類を増やすことができる。
【００２５】
次に、バスボード７を説明する。
このバスボード７は特浴をしない場合にレール部５及びレール脚部６を収納した時のカバーとしての役割だけでなく、利用者が入浴台替わりに使用することができる。
詳述すると、このバスボード７は図１などに示すように、２分割構成にしており浴槽Ｂの短辺側Ｂ２の外縁に当接するように配置されるバスボード前７１とメインフレーム２に回転可能に軸着されるバスボード後７２で構成される。
まず、バスボード前７１は平面視において略矩形状に形成され、フレーム２ａの端面より突出する位置で該フレーム２ａの上方に止着している。
そして、図１８などで示すように該バスボード前７１のバスボード後７２と接触する面はテーパ面７１ａになっており、このテーパ面に２つの凹部７１ｂ，７１ｂを形成している。
【００２６】
次に、バスボード後７２は図３で示すように平面視において略矩形状、且つ、図４及び図５で示すように側面視においては緩やかなアーチ形状に形成されている。
そして、図１１で示すようにバスボード前７１に面する一辺の中央部に凹字状の持ち手７２ａを形成している。この持ち手７２ａを形成する一辺は該バスボード前７１のテーパ面７１ａに沿うようにテーパ面７２ｂ，７２ｂが形成され、且つ、凹部７１ｂ，７１ｂと係合可能に凸部７２ｃ，７２ｃを形成している。
なお、バスボード後７２の短辺側も洗い場及び壁面に向けて水捌けが良くなるように後述するカバー８，８に向けてテーパ形状をしている。
また、バスボード後７２の上面は任意の形状を複数箇所配置した凸部７２ｄを設けて水捌けを良くしている。
このように構成したバスボード後７２は、図９に示すように内面にＬ字状のステー部材７２ｅ，７２ｅを止着して、該ステー部材７２ｅ，７２ｅを前記フレーム２ｂ，２ｂとツナギフレーム２ｃ，２ｃに固着される支点プレート２ｇ，２ｇに軸着して回転可能にしている。
そして、該支点プレート２ｇ，２ｇに止着されたピン部材２ｈ，２ｈと、該ステー部材７２ｅ，７２ｅの後方に止着されたピン部材７２ｆ，７２ｆに弾性体７２ｇ，７２ｇを止着している。
なお、本実施例における弾性体７２ｇ，７２ｇは引張バネを使用している。
そして、該ステー部７２ｅ，７２ｅに止着したピン部材７ｂ，７ｂは該支点プレート２ｇ，２ｇに形成した溝部２１ｇ，２ｇｆ内を移動することができる。
【００２７】
このように構成したバスボード７は、入浴台として使用する際に水捌けが良いため衛生的である利点と、人が入れ替わって使用する際に次の人が冷たさを感じるなどの不快感を軽減することができる。
また、持ち手７２ａを形成することにより、バスボード７（バスボード後７２）の開閉時にしっかりと握ることができ、安全に操作することができる。
さらに、バスボード前７１とバスボード後７２の凹部と凸部を係合させてバスボード後７２を閉じることで確実なロックができる。また、開閉時に抵抗を感じることができるため、一般家庭用として使用する際に幼児など製品の知識の無い利用者が入浴する際に、万が一バスボード７を開けて手を挟み込むなどの危険を無くすることができ安全に使用できる。
なお、バスボード後７２の持ち手７２ａは一箇所に限定する必要は無い。例えば、バスボード後７２の短辺側に持ち手を形成することや、持ち手用に別部材（例えばＵ字状の取手）を止着して入浴時の補助テスリとして使用しつつ開閉時の持ち手替わりにしても良く、本実施例に限定されるものでは無い。
また、バスボード後７２を開いた時に、弾性体７２ｇ，７２ｇによってバスボード後７２の一端側を引っ張る方向に作用させて支点越えをさせることで、意図的にバスボード後７２を戻さない限りは勝手にバスボード後７２が戻ることがないようにしている。
【００２８】
また、本実施例においてメインフレーム２の両側部に樹脂製のカバー８，８を止着している。
このカバー８，８は図４及び図５に示すように側面視において略凹字を１８０度回転させた形状に形成しており、前述したツナギフレーム２ｃ，２ｃ及び脚部３以外はカバー８，８より露出しないようにしている。
よって、前述したバスボード７と組み合わせることで、バスボード７としてユニット式作業台１を使用する場合にはレール脚部５及びレール部６の収納時に外から手などを誤って入れることがないため安全に使用することができる。
【００２９】
次に、特浴する場合に、利用者を浴室内に搬送するために使用する座面昇降式キャリー９を説明する。
図１０に示すように、座面昇降式キャリー９は車輪付きの車体フレーム９１と、車体フレーム９１上部に備えられたキャリーレール部９２と、キャリーレール部９２を左右方向に移動可能な車輪を備えた駆動部９３と、駆動部９３に上下方向に昇降可能に枢着された座部９４で構成される昇降椅子ユニット９５で主に構成されている。
詳細は省略するが、この座面昇降式キャリー９を使用することで、座部９４に着座した利用者を乗せて浴室内を移動して浴槽に設置したユニット式入浴台１に近づき、キャリーレール部９２の一端とレール部５の連結部材５ｄを連結することにより、駆動部９３及び昇降椅子ユニット９５がキャリーレール部９２からレール部本体５ｃに移動可能にしている。
【００３０】
ここまで説明したユニット式入浴台１の浴室への設置方法及び調節方法を説明する。
（手順１）バスボード前７１の上面と浴槽Ｂの上面の高さが略同じになるように脚部３の高さを調節する。
（手順２）浴槽Ｂの洗い場側の長辺側Ｂ３の側面とユニット式入浴台１の洗い場側の端面（カバー８）が略同じになるようにバンパー横２ｅの突出量を調節する。
（手順３）浴槽Ｂの短辺側Ｂ２の側面にバスボード前７１の端面と、メインフレーム２のバンパー前２ｆ，２ｆが当接するように浴槽Ｂにユニット式入浴台１を設置する。
（手順４）図１１〜図１４に示すようにバスボード後７２を開き、メインフレーム２内からレール脚部６を取り出して、浴槽Ｂの長辺側Ｂ１，Ｂ３の上面にそれぞれ第１レール脚６１と第２レール脚６２を載置する。（第１レール脚６１と第２レール脚６２はどちらから先に取り出しても良い。）
（手順５）図２０に示すようにユニット式入浴台１をしっかりと浴槽Ｂに固定できるように浴槽Ｂの内面に合わせて第１レール脚６１の第２ロック部材６１ｇ及び第２レール脚６２の第３ロック部材６２ｆを調節する。
（手順６）図１５に示すようにメインフレーム２内からレール部５を取り出しつつ、浴槽Ｂから洗い場方向にレール部５をスライドさせて、レール部５のストッパー部材５ｅ，５ｅを第１レール脚６１の係止部材６１ｅと第２レール脚６２の係止部材６２ｅに係合させてレール部５とレール脚部６をロックする。
なお、（手順１）、（手順２）、（手順７）は新規対応する浴槽への初回設置時に必要な調節であり、都度調節する必要は無い。
【００３１】
次に、ユニット式入浴台１の使用方法を説明する。
まず、座面昇降式キャリー９を使用した特浴について説明する。
（手順Ａ）ユニット式入浴台１のバスボード後７２を開け、レール脚部６、レール部５を使用可能状態にする。（前項の（手順４）及び（手順６）参照。）
（手順Ｂ）脱衣した利用者を座部９４に乗せた座面昇降式キャリー９を浴槽Ｂの近傍まで移動させる。（（手順Ａ）と（手順Ｂ）は逆でも構わない。）
（手順Ｃ）図１６に示すように座面昇降式キャリー９のキャリーレール部９２の端面と連結部材５ｄを連結させる。
（手順Ｄ）駆動部９３及び昇降椅子ユニット９５をキャリーレール部９２から連結部材５ｄを介してレール部５（レール部本体５ｃ）に移動させ、利用者を浴槽Ｂの縁を跨ぐことなく浴槽Ｂの上方に移動させる。
（手順Ｅ）図１７に示すように昇降椅子ユニット９５を操作して下方に移動させて、利用者を入浴させる。
（手順Ｆ）入浴が終わった後、これまでの逆の手順で（（手順Ｅ）→（手順Ｄ）→・・・（手順Ａ））利用者を移動させる。
【００３２】
次に、特浴を行わずユニット式入浴台１を入浴台として使用する場合について説明する。
この場合は、図１１に示すようにユニット式入浴台１のバスボード７（バスボード後７２）を閉じて使用すれば良く、利用者がバスボード７の上に腰掛け、端座位の状態で浴槽Ｂの縁を片足ずつ跨ぎ越えて入浴する。
【００３３】
このように、本実施例におけるユニット式入浴台１は、座面昇降式キャリー９と組み合わせた特浴が可能となっているだけでなく、怪我や高齢などで下肢が十分に動かせない利用者が補助的に使用するための入浴台としても利用できる。
また、複雑な構成では無く浴室への設置及び調節も簡単であるとともに、浴室の壁や浴槽Ｂの縁を利用することで設置時の位置ずれの心配が無く安全に使用できるものとなっている。
加えて、既存の浴槽に対してユニット式入浴台１を設置する際に、浴槽に合わせてレール脚部６の設置位置を調節可能であるため、浴室を改修する必要が無く経済的な負担も軽減することができる。
【００３４】
ここまで、本実施例の説明を浴槽Ｂが図１１などで示す位置で行ったが、対称となる位置に浴槽Ｂが設置されている状態でも部品を組替えて対応することができる。
詳細は省略するが、本実施例において組替えが必要な部品は溶接による固定を選択せず、螺子による締結を行っており、各構成部品の向きを上下もしくは左右に反転させることができる。
まず、図７に示したベース部４のストッパー部材４ｆ及びレール部５の連結部材５ｄをそれぞれ洗い場側から浴室の壁側に左右反転させて組み立てる。
そして、図８に示した第１レール脚６１の第１レール脚本体６１ｃと、第２レール脚６２の第２レール脚本体６２ｃを上下反転させる。この状態で、第１レール脚６１と第２レール脚６２の位置を入れ替えてベース部４に組み立てる。
このようにすることで、右仕様、左仕様と専用部品を用意する必要無く浴槽Ｂに合わせてユニット式入浴台１を設置することができる。
【００３５】
次に、本発明の別の実施例について説明する。
図２０などで示すように、本実施例におけるレール部５を使用可能状態にした時に、第１レール脚６１は浴槽Ｂの長辺側Ｂ３、第２レール脚６２は浴槽Ｂの短辺側Ｂ２にそれぞれ係止することで浴槽Ｂに連結をしている。
これは、浴槽の長手側、短辺側それぞれに外力が加わってもずれを軽減するために選択しているが、必ず２点で連結する必要は無い。
図示は省略するが、例えば第２レール脚６２の第２レール脚本体６２ｃの長辺部６２１ｃにも第１レール脚６１の第１ロック部材６１ｆ、第２ロック部材６１ｇと同じロック部材を具備しても良い。
また、本実施例では略Ｌ字状に形成したプレートを各ロック部材に用いたが、プレートに限定する必要は無い。
例えば、図２２では別の実施例として第２レール脚本体６２ｃの短辺側６２２ｃ’を平面視において略ヘ字状に形成している。そして、短辺側６２２ｃ’に穿設された複数の孔６２３ｃ’，６２３ｃ’，・・・のいずれか一つにローラー６２ｇ’を軸着し、浴槽Ｂ内面にローラー６２ｇ’の外周が当接するようにして浴槽Ｂと第２レール部６２を連結している。（なお、詳細は省略するが回転ストッパー部材６２ｂの溝部６２１ｂの形状を変更して第２レール脚本体６２ｃの浴槽Ｂの上で必要な角度で止まるようにしている。）
つまり、使用する浴槽Ｂの内面に合わせてローラー６２ｇ’を取り付ける位置を変更することでロックすることもできる。
このように、本実施例におけるユニット式入浴台１と浴槽Ｂを固定するためのロック部材は使用する浴室環境に応じて適宜仕様変更したので良い。
【符号の説明】
【００３６】
１      ユニット式入浴台
２      メインフレーム
３      脚部
４      ベース部
５      レール部
６      レール脚部
６１    第１レール脚
６２    第２レール脚
７      バスボード
７１    バスボード前
７２    バスボード後
８      カバー
９      座面昇降式キャリー
Ｂ      浴槽
Ｓ      空間
【図１】
2020130787.tif 000003
【図２】
2020130787.tif 000004
【図３】
2020130787.tif 000005
【図４】
2020130787.tif 000006
【図５】
2020130787.tif 000007
【図６】
2020130787.tif 000008
【図７】
2020130787.tif 000009
【図８】
2020130787.tif 000010
【図９】
2020130787.tif 000011
【図１０】
2020130787.tif 000012
【図１１】
2020130787.tif 000013
【図１２】
2020130787.tif 000014
【図１３】
2020130787.tif 000015
【図１４】
2020130787.tif 000016
【図１５】
2020130787.tif 000017
【図１６】
2020130787.tif 000018
【図１７】
2020130787.tif 000019
【図１８】
2020130787.tif 000020
【図１９】
2020130787.tif 000021
【図２０】
2020130787.tif 000022
【図２１】
2020130787.tif 000023
【図２２】
2020130787.tif 000024